(57)【要約】      （修正有）【課題】弓的設置場所の安土に固定する際の弓的の上下移動や上下揺動が繰り返されても、長串と短串とによる的枠周壁の弾性的な挟持を維持できる弓的固定用侯串を提供する。【解決手段】略平行に延在する長短一対の串を備え、長串２１は安土に差し込まれる長手方向一端部２１ａと長手方向他端部２１ｂとを有し、長串の長手方向他端近傍部に筒体２３又はリングを形成し、短串２２は長手方向両端部の何れか一方が選択的に筒体又はリングに挿通され、筒体又はリングの長串から離隔する側の内面に当接した短串と長串との間に的枠１００の周壁厚みよりも僅かに狭い隙間が形成される。短串と長串の的枠周壁との係合部が経時劣化により塑性変形して、隙間が広がった場合には、短串を一旦離脱させ、前後を入れ換えて湾曲凹側を長串に対峙させると的枠の挟持力が回復する。【選択図】図３
0003218088.tif 000002
【実用新案登録請求の範囲】
【請求項１】
的枠に的紙を貼り付けた弓的を設置場所の安土に固定するための弓的固定用侯串であって、略平行に延在する長短一対の串を備え、長串は安土に差し込まれる長手方向一端部と長手方向他端部とを有し、前記長手方向他端部に近接する長串の長手方向他端近傍部が筒体又はリングを形成し、短串は長手方向両端部の何れか一方が選択的に筒体又はリングに挿通され、長手方向両端部の何れか一方が筒体又はリングに挿通され且つ筒体又はリングの長串から離隔する側の内面に当接した短串の長手方向両端部の何れか他方と長串の長手方向他端部との間に的枠周壁の厚みよりも僅かに狭い隙間が形成されることを特徴とする弓的固定用侯串。
【請求項２】
短串は薄肉の長手方向両端部と厚肉の長手方向中央部とを有すると共に長手方向中央部で２度直角に折れ曲がったクランクを形成し、筒体又はリングは短串の長手方向両端部の挿通を許容すると共に長手方向中央部の挿通を阻止することを特徴とする請求項１に記載の弓的固定用侯串。
【請求項３】
筒体又はリングを形成する長串長手方向他端近傍部が長串長手方向他端部よりも厚肉であり且つ筒体又はリングに挿通された短串へ向けて膨出していることを特徴とする請求項１に記載の弓的固定用侯串。
【請求項４】
長串の筒体又はリングを形成する部位よりも長手方向一端部寄りに、長串の長手方向一端部へ向けて短串に接近する傾斜部が形成されていることを特徴とする請求項１乃至３の何れか1項に記載の弓的固定用侯串。
【請求項５】
短串の筒体又はリングからの脱落を防止する脱落防止機構を備えることを特徴とする請求項１乃至４の何れか1項に記載の弓的固定用侯串。
【考案の詳細な説明】
【技術分野】
【０００１】
本考案は、弓的を設置場所の安土に固定する際に使用する弓的固定用侯串に関するものである。
【背景技術】
【０００２】
図１に示す薄肉短円筒状の的枠１に的紙２を貼り付けた弓的３を傾斜した設置場所４の安土５に固定するための弓的固定用侯串であって、図２に示す略平行に延在する長短一対の串６、７と、短串７の一端部７ａと長串６の前記一端部７ａに対峙する部位６ａとの間に介挿されたスペーサ８と、短串７の一端部７ａと長串６の前記一端部７ａに対峙する部位６ａとスペーサ８とに掛け渡されて巻き付けられた紐９とを備え、短串７の他端部７ｂと長串６の前記他端部７ｂに対峙する一端部６ｂとの間に所定の隙間Ｓが形成されたことを特徴とする弓的固定用侯串１０が、従来から使用されている。
弓的３を設置場所４の安土５に固定する際には、隙間Ｓを押し広げつつ弓的固定用侯串１０の長串６と短串７との間に的枠１の周壁を押し込んで的枠１の端面をスペーサ８に当接させると共に長串６と短串７とで的枠１の周壁を弾性的に挟持させ、次いで、的紙２を鉛直に延在させ且つ弓的固定用侯串１０の長串６の他端部６ｃを設置場所４の傾斜面に差し向け且つ的枠１周壁の弓的固定用侯串１０が挟持した部位を上方へ差し向けて弓的３を両手で保持し、長串６を傾斜した設置場所４の安土５に押し込み、的枠１の下部を部分的に安土５に押し込んで、弓的３を設置場所４の安土５に安定的に固定する。
【考案の概要】
【考案が解決しようとする課題】
【０００３】
弓的３を設置場所４の安土５に固定する際に、弓的３の高さ方向取付け位置を微調整すべく、長串６を傾斜した設置場所４の安土５に押し込んだまま弓的３を上下方向に僅かに移動させ、或いは的紙２の傾斜を微調整すべく、長串６を傾斜した設置場所４の安土５に押し込んだまま弓的３を上下方向に僅かに揺動させる場合がある。従来構造の弓的固定用侯串１０には、前述の弓的３の上下移動や上下揺動が繰り返されると、長短の串６、７の的枠１との係合部が経時劣化により塑性変形し隙間Ｓが増加し、長串６と短串７とで的枠１の周壁を弾性的に挟持することができなくなるという問題があった。
本考案は上記問題に鑑みてなされたものであり、弓的３を設置場所４の安土５に固定する際の弓的３の上下移動や上下揺動が繰り返されても、長串６と短串７とによる的枠１周壁の弾性的な挟持を維持することができる弓的固定用侯串を提供することを目的とする。
【課題を解決するための手段】
【０００４】
上記課題を解決するために、本考案においては、的枠に的紙を貼り付けた弓的を設置場所の安土に固定するための弓的固定用侯串であって、略平行に延在する長短一対の串を備え、長串は安土に差し込まれる長手方向一端部と長手方向他端部とを有し、前記長手方向他端部に近接する長串の長手方向他端近傍部が筒体又はリングを形成し、短串は長手方向両端部の何れか一方が選択的に筒体又はリングに挿通され、長手方向両端部の何れか一方が筒体又はリングに挿通され且つ筒体又はリングの長串から離隔する側の内面に当接した短串の長手方向両端部の何れか他方と長串の長手方向他端部との間に的枠周壁の厚みよりも僅かに狭い隙間が形成されることを特徴とする弓的固定用侯串を提供する。
本考案に係る弓的固定用侯串においては、長串の長手方向他端部と短串の長手方向両端部の何れか他方との間の隙間に、当該隙間を押し広げつつ的枠周壁を挿入し、長串の長手方向他端部と短串の長手方向両端部の何れか他方とで的枠の周壁を弾性的に挟持させ、次いで、長串の長手方向一端部を傾斜した設置場所の安土に押し込み、弓的を設置場所の安土に固定する。
弓的を設置場所の安土に固定する際の弓的の上下移動や上下揺動が繰り返されて短串と長串の的枠周壁との係合部が経時劣化により塑性変形して、長串の長手方向他端部と短串の長手方向両端部の何れか他方との間の隙間が広がった場合、前記塑性変形により湾曲した短串を長串から一旦離脱させ、長串と短串とが含まれる平面に直交する軸線回りに短串を１８０度回転させ短串の前後を入れ換えると共に短串の湾曲の凹側を長串に対峙させて短串の長手方向両端部の前記何れか他方を筒体又はリングに挿通させ、或いは短軸の長手方向軸線回りに短串を１８０度回転させて短串の湾曲の凹側を長串に対峙させて短串の長手方向両端部の前記何れか一方を再度筒体又はリングに挿通させる。長串の長手方向他端部と対峙する短串の長手方向両端部の前記何れか一方或いは前記何れか他方との間の隙間が狭まり、長串と短串とによる的枠の挟持力が回復する。
【０００５】
本考案の好ましい態様においては、短串は薄肉の長手方向両端部と厚肉の長手方向中央部とを有すると共に長手方向中央部で２度直角に折れ曲がったクランクを形成し、筒体又はリングは短串の長手方向両端部の挿通を許容すると共に長手方向中央部の挿通を阻止する。
塑性変形により湾曲した短串を長串から一旦離脱させ、長串と短串とが含まれる平面に直交する軸線回りに短串を１８０度回転させ短串の前後を入れ換えると共に短串の湾曲の凹側を長串に対峙させて短串の長手方向両端部の前記何れか他方を筒体又はリングに挿通させれば、長串と短串とによる的枠の挟持力が回復する。
本考案の好ましい態様においては、筒体又はリングを形成する長串長手方向他端近傍部が長串長手方向他端部よりも厚肉であり且つ筒体又はリングに挿通された短串へ向けて膨出している。
塑性変形により湾曲した短串を長串から一旦離脱させ、長串と短串とが含まれる平面に直交する軸線回りに短串を１８０度回転させ短串の前後を入れ換えると共に短串の湾曲の凹側を長串に対峙させて短串の長手方向両端部の前記何れか他方を筒体又はリングに挿通させ、或いは短軸の長手方向軸線回りに短串を１８０度回転させて短串の湾曲の凹側を長串に対峙させて短串の長手方向両端部の前記何れか一方を再度筒体又はリングに挿通させれば、長串と短串とによる的枠の挟持力が回復する。
本考案の好ましい態様においては、長串の筒体又はリングを形成する部位よりも長手方向一端部寄りに、長串の長手方向一端部へ向けて短串に接近する傾斜部が形成されている。
短串の長手方向両端部の何れか一方を筒体又はリングに挿入すると、当該一方の先端が長串の傾斜部に乗り上げ、傾斜部から法線力を印加される。短串は筒体又はリングによる支持点を中心にして回動し、短串の長手方向両端部の何れか他方が長串の長手方向他端部へ向けて付勢され、長串と短串とにより的枠周壁の挟持力が増加する。
本考案の好ましい態様においては、弓的固定用侯串は短串の筒体又はリングからの脱落を防止する脱落防止機構を備える。
脱落防止機構を設けることにより、長串からの短串の脱落を防止できる。
【図面の簡単な説明】
【０００６】
【図１】弓的の構成と、設置要領とを示す図である。（ａ）は的枠の斜視図であり、（ｂ）は的紙の正面図であり、（ｃ）は的紙を的枠に取り付けて完成した弓的の斜視図であり、（ｄ）は設置場所の安土に固定された弓的の側面図である。
【図２】従来構造の弓的固定用侯串の側面図である。
【図３】本考案の実施例に係る弓的固定用侯串の構造図である。（ａ）は側面図であり、（ｂ）は使用により塑性変形した状態の側面図であり、（ｃ）は短串の前後を入れ換えた状態の側面図である。
【図４】本考案の他の実施例に係る弓的固定用侯串の側面図である。
【図５】本考案の他の実施例に係る弓的固定用侯串の側面図である。
【図６】本考案の他の実施例に係る弓的固定用侯串の部分側面図である。
【考案を実施するための形態】
【０００７】
本考案の第１実施例を説明する。
図３（ａ）に示すように、弓的固定用侯串２０は、略平行に延在する長短一対の串２１、２２を備えている。長串２１は安土に差し込まれる長手方向一端部２１ａと長手方向他端部２１ｂとを有している。短串２２は、薄肉の長手方向両端部２２ａ、２２ｂと、厚肉の長手方向中央部２２ｃとを有すると共に、長手方向中央部２２ｃで２度直角に折れ曲がったクランクを形成している。
長串２１の長手方向他端部２１ｂに近接する長手方向他端近傍部２１ｃに筒体２３が外嵌固定されて、長串２１の一部を形成している。短串２２は長手方向両端部２２ａ、２２ｂの何れか一方が選択的に筒体２３に挿通される。筒体２３は、短串の長手方向両端部２２ａ、２２ｂの挿通を許容すると共に長手方向中央部２２ｃの挿通を阻止する。
短串２２は、クランクの外側面に相当する長手方向一端部２２ａの一方の側面２２ａ’を長串２１の側面に対峙させ、クランクの内側面に相当する長手方向一端部２２ａの他方の側面２２ａ”を筒体２３の長串２１から離隔する側の内面に当接させた状態で、長手方向一端部２２ａが選択されて筒体２３に挿通されている。図３（ａ）から分かるように、短串長手方向一端部２２ａの前記一方の側面と長串２１の側面との間に微少隙間が形成されている。筒体２３の内面に形成された凸部２３ａに短串の長手方向一端部２２ａの外面に形成された凹部２２ｄが弾性的に外嵌合して、より平易に言えばスナップ嵌めされて、短串２２が長串２１に係止している。短串２２の長手方向他端部２２ｂの外面にも、凹部２２ｄと同様の凹部２２ｅが形成されている。
長串の長手方向他端部２１ｂと短串の長手方向他端部２２ｂとの間に、的枠１００の周壁の厚みよりも僅かに狭い隙間が形成されている。
【０００８】
侯串２０の作動を説明する。
図３（ａ）に示すように、長串２１の長手方向他端部２１ｂと短串２２の長手方向他端部２２ｂの間の隙間を押し広げつつ当該隙間に的枠１００の周壁を挿入し、周壁の端面を短串の中央部２２ｃの端面に当接させる。長串２１の長手方向他端部２１ｂと短串２２の長手方向他端部２２ｂとが的枠１００の周壁を弾性的に挟持する。この状態で、短串長手方向一端部２２ａの前記一方の側面と長串２１の側面との間に微少隙間が存在している。長串２１の長手方向一端部２１ａを傾斜した設置場所の安土に押し込み、弓的を設置場所の安土に安定的に固定する。
弓的を設置場所の安土に固定する際の弓的の上下移動や上下揺動が繰り返されて長串２１、短串２２の的枠１００周壁との係合部が経時劣化により塑性変形して、長串２１の長手方向他端部２１ｂと短串２２の長手方向他端部２２ｂとの間の隙間が広がる。この時、弓的から印加される荷重を受けて、図３（ｂ）に示すように、短串２２の長手方向一端部２２ａと長手方向他端部２２ｂとがそれぞれ湾曲して塑性変形している。
塑性変形した短串２２を、筒体２３から引き抜いて、長串２１から一旦離脱させ、長串２１と短串２２とが含まれる平面に直交する軸線、即ち図３（ｂ）の紙面に直交する軸線、回りに短串を１８０度回転させて短串２２の前後を入れ換えると共に短串２２の湾曲の凹側を長串２１に対峙させて、図３（ｃ）に示すように、湾曲した長手方向他端部２２ｂを筒体２３に挿入し、凹部２２ｅを筒体２３の凸部２３ａにスナップ嵌めして、短串２２を再び長串２１に係止させる。短串２２は湾曲した長手方向一端部２２ａの凹側を長串２１の長手方向他端部２１ｂに対峙させて長串２１に係止するので、短串の長手方向一端部２２ａと長串２１の長手方向他端部２１ｂとの間の隙間が狭まり、長串２１と短串２２とによる的枠１００の挟持力が回復する。
凸部２３ａと凹部２２ｄ、２２ｅとをスナップ嵌めさせることにより、長串２１からの短串２２の脱落を防止することができる。
【０００９】
本考案の第２実施例を説明する。
図４に示すように、侯串３０においては、筒体３３が外嵌固定された長串３１の長手方向他端近傍部３１ｃが長手方向他端部３１ｂよりも厚肉であり且つ筒体３３に挿通された短串３２へ向けて膨出している。短串３２はクランクを形成せず単純な棒状部材である。筒体３３の内面に形成された凸部３３ａに短串の長手方向一端部３２ａの外面に形成された凹部３２ｄがスナップ嵌めされて、短串３２が長串３１に係止している。短串３２の長手方向他端部３２ｂの外面にも、凹部３２ｄと同様の凹部３２ｅが形成されている。上記を除き、侯串３０の構成は侯串２０の構成と同様である。
侯串３０においては、塑性変形して湾曲した短串３２を、筒体３３から引き抜いて、長串３１から一旦離脱させ、長串３１と短串３２とが含まれる平面に直交する軸線、即ち図４の紙面に直交する軸線、回りに短串３２を１８０度回転させて短串３２の前後を入れ換えると共に短串３２の湾曲の凹側を長串３１に対峙させて、湾曲した長手方向他端部３２ｂを筒体３３に挿入し、凹部３２ｅを筒体３３の凸部３３ａにスナップ嵌めして、短串３２を再び長串３１に係止させる。短串３２は湾曲した長手方向一端部３２ａの凹側を長串３１の長手方向他端部３１ｂに対峙させて長串３１に係止するので、短串の長手方向一端部３２ａと長串３１の長手方向他端部３１ｂとの間の隙間が狭まり、長串３１と短串３２とによる的枠１００の挟持力が回復する。
凸部３３ａと凹部３２ｄ、３２ｅとをスナップ嵌めさせることにより、長串３１からの短串３２の脱落を防止することができる。
【００１０】
本考案の第３実施例を説明する。
図５に示すように、侯串４０においては、筒体４３が外嵌固定された長串４１の長手方向他端近傍部４１ｃが長串長手方向他端部４１ｂよりも厚肉であり且つ筒体４３に挿通された短串４２へ向けて膨出している。長串の長手方向他端近傍部４１ｃよりも長手方向一端部４１ａ寄りに、長串の長手方向一端部４１ａへ向けて長手方向他端近傍部４１ｃよりも更に短串４２に接近する傾斜部４１ｄが形成されている。短串４２はクランクを形成せず単純な棒状部材である。短串４２の長手方向一端部４２ａの先端が長串の傾斜部４１ｄに乗り上げて、前記先端に形成された凸部４２ｄが傾斜部４１ｄに形成された凹部４１ｅにスナップ嵌めされて短串４２が長串４１に係止している。短串４２の長手方向他端部４２ｂの先端に、長串４１から離隔する方向へ突出する凸部４２ｅが形成されている。侯串４０は、侯串３０が備える凸部３３ａ、凹部３２ｄ、３２ｅを備えない。上記を除き、侯串４０の構成は侯串３０の構成と同様である。
侯串４０においては、短串４２の長手方向一端部４２ａを筒体４３に挿通すると、長手方向一端部４２ａの先端が長串の傾斜部４１ｄに乗り上げ、傾斜部４１ｄから法線力を印加される。短串４２は筒体４３による支持点を中心にして回動し、短串４２の長手方向他端部４２ｂが長串４１の長手方向他端部４１ｂへ向けて付勢され、長串４１と短串４２とによる的枠周壁１００の挟持力が増加する。
侯串４０においては、塑性変形して湾曲した短串４２を、筒体４３から引き抜いて、長串４１から一旦離脱させ、長串４１と短串４２とが含まれる平面に直交する軸線、即ち図５の紙面に直交する軸線、回りに短串４２を１８０度回転させて短串４２の前後を入れ換えると共に短串４２の湾曲の凹側を長串４１に対峙させて、湾曲した長手方向他端部４２ｂを筒体４３に挿入し、凸部４２ｅを長串の凹部４１ｅにスナップ嵌めして、短串４２を再び長串４１に係止させる。短串４２は湾曲した長手方向一端部４２ａの凹側を長串４１の長手方向他端部４１ｂに対峙させて長串４１に係止するので、短串の長手方向一端部４２ａと長串の他端部４１ｂとの間の隙間が狭まり、長串４１と短串４２とによる的枠１００の挟持力が回復する。
凸部４２ｄ、４２ｅと凹部４１ｅとをスナップ嵌めさせることにより、長串４１からの短串４２の脱落を防止することができる。
侯串２０においても、侯串４０と同様に、短串２２の長手方向端部が乗り上げる傾斜部を長串２１に形成し、当該傾斜部に形成した凹部と短串２２の長手方向端部に形成した突部とをスナップ嵌めさせても良い。
【００１１】
第２実施例において、突部３３ａと凹部３２ｄ、３２ｅをスナップ嵌めさせるのに代えて、図６（ａ）に示すように、短串３２の長手方向一端部３２ａに形成した一対の爪３２ｆ、３２ｇ及び長手方向他端部３２ｂに形成した一対の爪３２ｈ、３２ｉで、長串の長手方向他端近傍部３１ｃを挟んで、短串３２を長串３１に係止して、長串３１からの短串３２の脱落を防止しても良く、或いは図６（ｂ）に示すように、短串３２の長手方向両端部３２ａ、３２ｂの先端に形成した爪３２ｊ、３２ｋを、長串の長手方向他端近傍部３１ｃの長手方向一端部３１ａ寄りの端面と、長手方向他端近傍部３１ｃよりも長手方向一端部３１ａよりに形成した短串３２方向の突起部３１ｄとで挟んで、短串３２を長串３１に係止して、長串３１からの短串３２の脱落を防止しても良い。
【００１２】
第１実施例において、長串２１の長手方向他端部２１ｂと短串２２の長手方向他端部２２ｂとで的枠１００の周壁を弾性的に挟持した状態で、短串のクランク外側面に相当する長手方向一端部２２ａの一方の側面が長串２１の側面に当接するように構成しても良い。この場合、図３（ｃ）において湾曲した長手方向他端部２２ｂを筒体２３に挿入する際の抵抗が増加する。他の実施例においても同様である。
第２実施例において、塑性変形して湾曲した短串３２を、筒体３３から引き抜いて、長串３１から一旦離脱させ、短串３２の長手方向軸線回りに短串３２を１８０度回転させ短串２２の湾曲の凹側を長串３１に対峙させて、再度長手方向一端部３２ａを筒体３３に挿入しても良い。この場合、筒体３３の互いに正対する内面に一対の凸部３２ａを形成し、或いは短串の長手方向両端部３２ａ、３２ｂの両側面に一対の凹部３２ｄ、３２ｅを形成して、前記凸部と前記凹部とをスナップ嵌めして短串３２を長串３１に係止させる。
筒体２３、３３、４３を長串２１、３１、４１と一体形成しても良い。
筒体２３、３３、４３をリングに置換しても良い。
短串２２、３２、４２を長串２１、３１、４１に係止し且つ長串２１、３１、４１からの短串２２、３２、４２の脱落を防止する機構は、上記実施例のものに限定されない。他の任意の機構を用いても良い。
【産業上の利用可能性】
【００１３】
本考案は、弓的固定用侯串に広く利用可能である。
【符号の説明】
【００１４】
１  的枠
２  的紙
３  弓的
４  弓的の設置場所
５  安土
６、２１、３１、４１  長串
７、２２、３２、４２  短串
８  スペーサ
Ｓ  隙間
２０、３０、４０  弓的固定用侯串
２３、３３、４３  筒体
【図１】
0003218088.tif 000003
【図２】
0003218088.tif 000004
【図３】
0003218088.tif 000005
【図４】
0003218088.tif 000006
【図５】
0003218088.tif 000007
【図６】
0003218088.tif 000008